(57)【要約】【課題】外部から洗浄水を供給することなく、装置の運転中に固定スクレーパの洗浄を可能とする回転ドラムスクリーン装置を提供する。  【解決手段】回転ドラムスクリーン装置１０は、被処理水から固形状の夾雑物２０を外周面に捕捉し夾雑物除去後の被処理水を通流するドラムスクリーン４と、ドラムスクリーン４を回転駆動する駆動装置５と、被処理水をドラムスクリーン４へ導入する流入路２１と、夾雑物が除去された被処理水を排出する排水路３１と、ドラムスクリーン４の外周面に捕捉された夾雑物２０を剥離する固定スクレーパ７を備えている。ドラムスクリーン４内に、夾雑物除去後の被処理水の一部を収容する洗浄用受水槽１２を配置し、ドラムスクリーン４と共に回転することより、被処理水を固定スクレーパ７へ流出させ洗浄を行う。【選択図】  図１
2015112503.tif 000002
【特許請求の範囲】
【請求項１】
導入される被処理水から固形状の夾雑物を外周面に捕捉し、夾雑物除去後の被処理水を通流するドラムスクリーンと、
前記ドラムスクリーンを回転駆動する駆動装置と、
流入管より流入する前記被処理水を前記ドラムスクリーンへ導入する流入路と、
前記ドラムスクリーンにより夾雑物が除去された被処理水を排出する排水路と、
前記ドラムスクリーンの外周面と接触するよう配置され、前記外周面に捕捉された夾雑物を剥離する固定スクレーパとを備え、
前記ドラムスクリーン内部に設けられ、前記ドラムスクリーンの外周面を通流する夾雑物除去後の被処理水の一部を収容し、前記ドラムスクリーンと共に回転することより、前記収容された被処理水を前記固定スクレーパへ流出させる洗浄用受水槽を有することを特徴とする回転ドラムスクリーン装置。
【請求項２】
請求項１に記載の回転ドラムスクリーン装置において、
前記洗浄用受水槽は、開口面が前記ドラムスクリーンの外周面と対向するよう配置され、断面形状が多角形状又は一部が切り欠かれた円形状であり、前記ドラムスクリーンの回転軸方向に延伸する筒状体であることを特徴とする回転ドラムスクリーン装置。
【請求項３】
請求項１または請求項２に記載の回転ドラムスクリーン装置において、
一端が前記流入路の底面に固定され、他端が少なくとも前記流入管の開口部の底面よりも上方に位置する平板状の越流堰を備えたことを特徴とする回転ドラムスクリーン装置。
【請求項４】
請求項３に記載の回転ドラムスクリーン装置において、
前記越流堰よりも前記流入管側に配置され、一端が前記流入路の内壁上面に固定され他端が少なくとも前記流入管の開口部の底面よりも下方に位置する平板状の整流板を有し、
前記越流堰は、上端部が前記ドラムスクリーンに向かい傾斜して配置されることを特徴とする回転ドラムスクリーン装置。
【請求項５】
請求項４に記載の回転ドラムスクリーン装置において、
前記ドラムスクリーン、前記駆動装置及び前記固定スクレーパを収容する第１のユニットと、
前記越流堰及び前記整流板が配置された流入路、前記排水路を前記流入路の鉛直方向下方に配置し収容する第２のユニットと、
前記固定スクレーパにより、前記ドラムスクリーンの外周面から剥離される前記夾雑物を排出する排出口を備えた第３のユニットとを有し、
前記各ユニットを連結又は分割可能とすることを特徴とする回転ドラムスクリーン装置。
【請求項６】
請求項３から請求項５のいずれか１項に記載の回転ドラムスクリーン装置において、
前記ドラムスクリーンは、回転軸方向に所定の間隔で配置された複数のリング状部材を備え、
前記固定スクレーパは、前記ドラムスクリーンの複数のリング状部材と篏合可能な櫛歯状の形状を有することを特徴とする回転ドラムスクリーン装置。
【請求項７】
導入される被処理水から固形状の夾雑物を外周面に捕捉し、夾雑物除去後の被処理水を通流するドラムスクリーンと、
前記ドラムスクリーンを回転駆動する駆動装置と、
流入管より流入する前記被処理水を前記ドラムスクリーンへ導入する流入路と、
前記ドラムスクリーンにより夾雑物が除去された被処理水を排出する排水路と、
前記ドラムスクリーンの外周面と接触するよう配置され、前記外周面に捕捉された夾雑物を移送する回転スクレーパと、
前記回転スクレーパの外周面と接触するよう配置され、前記回転スクレーパの外周面に移送された夾雑物を剥離する固定スクレーパとを備え、
前記ドラムスクリーン内部に設けられ、前記ドラムスクリーンの外周面を通流する夾雑物除去後の被処理水の一部を収容し、前記ドラムスクリーンと共に回転することより、前記収容された被処理水を前記固定スクレーパへ流出させる洗浄用受水槽を有することを特徴とする回転ドラムスクリーン装置。
【請求項８】
請求項７に記載の回転ドラムスクリーン装置において、
前記ドラムスクリーン及び回転スクレーパの回転方向は同一であって、
前記洗浄用受水槽は、開口面が前記ドラムスクリーンの外周面と対向するよう配置され、断面形状が多角形状又は一部が切り欠かれた円形状であり、前記ドラムスクリーンの回転軸方向に延伸する筒状体であることを特徴とする回転ドラムスクリーン装置。
【請求項９】
請求項８に記載の回転ドラムスクリーン装置において、
一端が前記流入路の底面に固定され、他端が少なくとも前記流入管の開口部の底面よりも上方に位置する平板状の越流堰と、
前記越流堰よりも前記流入管側に配置され、一端が前記流入路の内壁上面に固定され他端が少なくとも前記流入管の開口部の底面よりも下方に位置する平板状の整流板とを備えたことを特徴とする回転ドラムスクリーン装置。
【発明の詳細な説明】
【技術分野】
【０００１】
本発明は、被処理水中に含まれる有機物等の夾雑物を除去する回転ドラムスクリーン装置にかかり、特に、下水処理等において下水中に含まれる夾雑物を除去する回転ドラムスクリーン装置に関する。
【背景技術】
【０００２】
下水あるいは廃水に含まれる有機物等の固形浮遊物を除去する回転ドラムスクリーン装置として、特許文献１に記載されるものが知られている。
【０００３】
特許文献１では、ドラムスクリーンのスクリーン目に互いに噛み合うように配設した回転スクレーパと、回転スクレーパの表面に形成された溝と係合する櫛歯状の歯先を有する固定スクレーパとを備え、ドラムスクリーン表面に付着する固定浮遊物等の夾雑物を回転スクレーパに移送し、回転スクレーパに移送された夾雑物を固定スクレーパにより掻き出し除去するものである。そして、回転スクレーパと固定スクレーパ間に噛み込まれた夾雑物を除去するため、ドラムスクリーンの運転停止後、回転スクリーンを逆回転させるものである。
【０００４】
また、特許文献２の回転ドラムスクリーンでは、回転軸の両端に配置されたボスより放射状に延びるアームの先端にヨークを掛け渡し、このヨークに多数のリングを等間隔に嵌めて固定しドラムスクリーンをなし、ドラムスクリーンの多数のリングと係合するよう同一の間隔で配置された多数の小径リングを有する回転スクレーパを備え、ドラムスクリーンのリングの外周面及び回転スクレーパの小径リングの外周面に切欠きを形成することで、下水中に含まれる夾雑物を掻き出すものである。
【先行技術文献】
【特許文献】
【０００５】
【特許文献１】特開平８−１９９５３８号公報
【特許文献２】特開平１１―５７３３３号公報
【発明の概要】
【発明が解決しようとする課題】
【０００６】
特許文献１では、回転スクレーパと固定スクレーパ間に噛み込まれた繊維状の夾雑物の除去はできるものの、夾雑物には有機物等が含まれることから、回転ドラムスクリーン装置の運転中に固定スクレーパ先端への夾雑物の付着が進行する。固定スクレーパへ付着した夾雑物は、回転スクレーパの逆回転により取り除くことはできず、回転ドラムスクリーン装置の運転を停止した後、手作業により夾雑物を取り除く必要がある。
【０００７】
また、特許文献２では、固定スクレーパに付着する夾雑物の除去については考慮されておらず、仮に、固定スクレーパに夾雑物が付着した場合、上記と同様に、手作業により夾雑物を取り除かねばならず、回転ドラムスクリーン装置の維持管理の面で問題がある。
【０００８】
本発明は、外部から洗浄水を供給することなく、装置の運転中に固定スクレーパの洗浄を可能とする回転ドラムスクリーン装置を提供することにある。
【課題を解決するための手段】
【０００９】
上記課題を解決するため、本発明の回転ドラムスクリーン装置は、導入される被処理水から固形状の夾雑物を外周面に捕捉し夾雑物除去後の被処理水を通流するドラムスクリーンと、前記ドラムスクリーンを回転駆動する駆動装置と、流入管より流入する前記被処理水を前記ドラムスクリーンへ導入する流入路と、前記ドラムスクリーンにより夾雑物が除去された被処理水を排出する排水路と、前記ドラムスクリーンの外周面と接触するよう配置され、前記外周面に捕捉された夾雑物を剥離する固定スクレーパとを備え、前記ドラムスクリーン内部に設けられ、前記ドラムスクリーンの外周面を通流する夾雑物除去後の被処理水の一部を収容し、前記ドラムスクリーンと共に回転することより、前記収容された被処理水を前記固定スクレーパへ流出させる洗浄用受水槽を有する。
【発明の効果】
【００１０】
本発明によれば、外部からの洗浄水を供給することなく、回転ドラムスクリーン装置を運転継続した状態で固定スクレーパを洗浄でき、回転ドラムスクリーン装置の維持管理を容易化できる。
【００１１】
上記した以外の課題、構成及び効果は、以下の実施形態の説明により明らかにされる。
【図面の簡単な説明】
【００１２】
【図１】本発明の一実施例に係る回転ドラムスクリーン装置の全体構成を示す側面図である。
【図２】図１に示す回転ドラムスクリーン装置のＡ−Ａ断面図である。
【図３】図１に示す回転ドラムスクリーン装置のＢ−Ｂ断面図である。
【図４】図１に示す洗浄用受水槽の概略斜視図である。
【図５】本発明の他の実施例に係る回転ドラムスクリーン装置の全体構成を示す側面図である。
【図６】図５に示す回転ドラムスクリーン装置のＡ−Ａ断面図である。
【図７】図５に示す回転ドラムスクリーン装置のＢ−Ｂ断面図である。
【発明を実施するための形態】
【００１３】
以下、本発明の実施例について図面を用いて説明する。以下では、本発明の回転ドラムスクリーン装置を下水処理施設へ適用する場合を例に説明するが、例えば、海水淡水化設備より排出される高濃度の塩水を下水処理施設からの処理水と混合し希釈した後排出する設備、また、生活廃水のみならず雨水等各種汚水に含まれる固形状の有機物を除去する設備にも適用される。
【実施例１】
【００１４】
図１に本発明の一実施例に係る回転ドラムスクリーン装置の全体構成を示す。また、図２に図１におけるＡ―Ａ断面図、図３に図１におけるＢ−Ｂ断面図を示している。図１に示されるように、回転ドラムスクリーン装置１０は、被処理水である下水を取り込む流入管２、流入管２を介して導入される下水から有機物等の固形状の夾雑物を分離し除去するドラムスクリーン４、ドラムスクリーン４に対向し下水の流入側に配置された固定スクリーン１４、下水の流入側とは反対側、すなわち、ドラムスクリーン４の背面側に配置された固定スクレーパ７、ドラムスクリーン４により流入下水に含まれる夾雑物が分離除去された後の下水を外部へ排出する排水管３を本体ケーシング１内に収容している。
【００１５】
ドラムスクリーン４は、図示しない軸受けを介してその回転軸が本体ケーシング１に支持されている。ドラムスクリーン４の回転軸の一端は本体ケーシング１の一方の側面より突出し、本体ケーシング１の上面に配置された駆動装置５の回転軸とベルトあるいはチェーンを介して連結され、図１に示す白抜き矢印の方向、時計回りに回転駆動される。この回転方向は、流入路２１より導入される下水を下方から上方へ引き上げる方向となる。また、ドラムスクリーン４の径及び回転速度は、下水の処理量に応じて適宜設定すればよい。
【００１６】
図３に示すように、ドラムスクリーン４は、回転軸方向に所定の間隔で配置された複数のリング状部材４１を有し、リング状部材４１は、回転軸より径方向に放射状に配置された支持部材により支持され、隣接するリング状部材４１間に開口４２を形成している。リング状材４１の配置間隔を調整することで、分離する夾雑物のサイズに応じて対応可能な構成となっている。なお、回転軸の両端部に回転軸より放射状に径方向へ延びる支持部材を配置し、この両端部に配置された支持部材の回転軸径方向端部を連結するよう軸方向に延伸する部材を取付け、各リング状部材４１の内周面を上記軸方向に延伸する部材と結合するよう構成してもよい。図１に点線で示す流入路２１を流れドラムスクリーン４へと導入される下水は、回転するドラムスクリーン４に流入する。リング状部材４１の配置間隔よりも大きな夾雑物２０は、リング状部材４１の外周面に捕捉され、水のみが開口部４２を通流することで、流入下水に含まれる有機物等の夾雑物２０が分離除去される。
【００１７】
なお、ドラムスクリーン４は、複数のリング状部材４１を配する構成に替えて、円筒状ドラムの外周面に複数の円形または矩形状の開孔を有する構成としてもよい。この場合、開孔のサイズは、予め分離すべき夾雑物のサイズに応じて設定すればよい。  
また、図３に示されるように、固定スクレーパ７は、ドラムスクリーン４の回転軸よりも下方に配置され、ドラムスクリーン４の回転軸方向の幅とほぼ等しい幅のプレート状をなしている。固定スクレーパ７の先端部、すなわち、ドラムスクリーン４と対向する側の先端部には、回転軸方向に所定の間隔にて複数の凹凸部が形成されている。固定スクレーパ７の凸部７１が隣接するリング状部材４１間に位置し、凹部７２がリング状部材４１の位置に対応するよう配置され、固定スクレーパ７は先端部が櫛歯状の形状を備えている。ドラムスクリーン４が回転することにより、外周面に捕捉された夾雑物２０は剥離され、図１に示す夾雑物排出口１３へと導かれる。固定スクレーパ７の他端は、凹凸部が形成された先端部より下方であって、その後方にて本体ケーシング１に固定されている。すなわち、固定スクレーパ７の本体ケーシング１との接続部は、夾雑物排出口１３側となる。
【００１８】
また、図１に示されるように、流入管２及び排水管３は、本体ケーシング１の同一側面に設けられ、流入管２は排水管３に対して鉛直方向上部に配置される。流入管２より流入する下水をドラムスクリーン４へ導入する流入路２１は、断面矩形状をなしており、流入路２１内にその底面より立設する平板状の越流堰９が設けられている。図２に示すＡ−Ａ断面図は、ドラムスクリーン４側より流入管２及び排水管３を見た流入路２１及び排水路３１の流路断面となっている。図２に示されるように、流入管２及び排水管３の取り付け位置はそれぞれ中心より水平方向へオフセット配置されている。越流堰９の上端部は少なくとも円筒状の流入管２の最下面より上方に位置し、両側面は流入路２１の内壁面と接続されている。流入する下水はこの越流堰９に衝突後、流入路２１の幅方向へ拡がり、越流堰９の上端部を乗越えドラムスクリーン４へ向かう。これにより、流入管２がドラムスクリーン４の回転軸方向の一方端側に取り付けられた状態であっても、流入管２より流入路２１へ流れ込む下水は越流堰９に衝突することで、ドラムスクリーン４の回転軸方向にほぼ均一とされた後、ドラムスクリーン４へ導入されるため、流入下水の偏移（偏り）を抑制できる。本実施例では、流入管２がオフセット配置された場合を示したが、流入管２が中央に配置される場合であっても、越流堰９を設けることによりドラムスクリーン４へ導入される流入下水をより均一化することができる。
【００１９】
図１に戻り、ドラムスクリーン４が配置される領域の構造を説明する。流入路２１の底面よりドラムスクリーン４の外周面へ向かい延伸する固定スクリーン１４、また、ドラムスクリーン４の内部には、回転軸方向に延伸するレーキ６が設けられている。固定スクリーン１４は、上述の固定スクレーパ７と同様に、その先端部が櫛歯状となっている。レーキ６の一端はドラムスクリーン４内部に図示しない支持部により固定され、他端はドラムスクリーン４の外周面より径方向に突出する突出部を有し、この突出部はドラムスクリーン４の径方向に対し回転方向に傾斜している。レーキ６の突出部がドラムスクリーン４と共に回転することにより、導入される下水を掻き揚げ、固定スクリーン１４の櫛歯状部を通過する。これにより固定スクリーン１４上に堆積する流入下水に含まれる夾雑物は上方へ掻き揚げられ、ドラムスクリーン４の外周面に捕捉される。なお、レーキ６の突出部にも櫛歯状に凹凸部が形成されている。
【００２０】
図１に示すようにレーキ６の固定部に隣接し、洗浄用受水槽１２をドラムスクリーン４の内部に配置している。洗浄用受水槽１２は、図４に示すように、例えば、断面三角形状であり、レーキ６と同様に、回転軸方向に延伸する中空の筒状体をなし、開口面ａがドラムスクリーン４の外周面と対向するよう配置されている。洗浄用受水槽１２は、ドラムスクリーン４と共に回転し、流入路２１の位置でリング状部材４１間を通流する夾雑物が分離除去された流入下水を取り込む。その後、図１の点線で表す位置、すなわち、固定スクレーパ７の取付け位置上方まで移動する間、洗浄用受水槽１２の内部に蓄えられた流入下水は回転速度と遠心力との関係から外部へ流出されることはない。固定スクレーパ７の上方に洗浄用受水槽１２が到達すると、内部に蓄えられた流入下水は固定スクレーパ７へと流出する。これにより、夾雑物排出口１３へ排出されずに固定スクレーパ７の表面に付着する夾雑物は洗い流される。この洗浄用受水槽１２内より流出された水は固定スクレーパ７の表面より剥離した夾雑物と共に夾雑物排出口１３へと流入する。このように、特に、外部から洗浄水を導入することなく、回転ドラムスクリーン装置１０の運転継続中に固定スクレーパ７の洗浄が可能となり、維持管理が容易となる。
【００２１】
なお、図４では、洗浄用受水槽１２を断面三角形状の中空の筒状体で構成したが、これに限らず、断面台形状の中空の筒状体等、断面多角形状の筒状体で構成し、その一面に開口面aを有する構成としてもよい。また、断面半円形状又は円筒の一部を回転軸方向に沿って開口させた形状の部材で構成してもよい。すなわち、一部が切り欠かれた円形状の断面形状を有しドラムスクリーン４の回転軸方向に沿って延伸する筒状体としてもよい。
【００２２】
また、図１に示されるように、本体ケーシング１の底面には、固定スクレーパ７の固定端側より排水路３１及び排水管３へと向かう傾斜面が形成されている。これにより、夾雑物分離除去後の流入下水は自重により排出管３より排出される。
【００２３】
回転ドラムスクリーン装置１０は、流入路２１及び排水路３１が形成された領域（下水流出入ユニットＵ１）、ドラムスクリーン４及び固定スクレーパ７を収容する領域（ドラムスクリーンユニットＵ２）、ドラムスクリーン４及び固定スクレーパ７の協働により流入下水より分離された夾雑物２０を夾雑物排出口１３より排出する領域（夾雑物排出ユニットＵ３）の３つのユニットに分割可能に構成されている。各ユニットの端部には本体ケーシング１の外壁面より突き出たフランジ３０が形成されており、下水流出入ユニットＵ１、ドラムスクリーンユニットＵ２及び夾雑物排出ユニットＵ３のフランジ３０を相互にシールしボルト等の締結具により固定することで回転ドラムスクリーン装置１０をなしている。フランジ３０のシールは、相互に当接するフランジ３０の当接面に溝を形成し、溝内にＯリングを嵌めて締結するか、あるいは、ガスケットを介して締結することで実現される。下水流出入ユニットＵ１及びドラムスクリーンユニットＵ２には、連通すべき流入路２１及び排水路３１が形成されている。そのため、例えば、ユニット組立時の位置合わせを容易とできるよう、フランジ部に位置合わせ用の篏合溝を設けてもてもよい。なお、図１において、各ユニットを連結するフランジ３０の下方に、漏水受け皿１５を取り付け、仮に、シール部が劣化し、漏水が生じた場合であっても対応可能としている。
【００２４】
機器の搬入口が狭い下水処理施設であっても、ユニット毎に分割することにより、容易に搬入でき、また、仮に、クレーン等で吊上げ搬入するような処理施設においても、ユニット分割することで軽量化が可能となる。
【００２５】
本実施例によれば、外部から洗浄水を導入することなく、回転ドラムスクリーン装置１０の運転継続中に固定スクレーパ７の洗浄が可能となり、維持管理が容易となる。
【実施例２】
【００２６】
図５に本発明の他の実施例に係る回転ドラムスクリーン装置の全体構成図を示す。図１と同一の構成要素に同一の符号を付している。また、図６にＡ―Ａ断面図を、図７にＢ−Ｂ断面図を示す。
【００２７】
本実施例では、ドラムスクリーンユニットＵ２内に回転スクレーパ８、流入路２１内に整流板１５及び傾斜して配置された越流堰９を設けたことが実施例１と異なる。
【００２８】
図５に示されるように、下水流出入ユニットＵ１には、被処理水である下水が流入する流入管２がドラムスクリーンユニットＵ２に向かい本体ケーシング１の外壁面より内部に延設されている。流入路２１にはその上部に一辺が固定された整流板１５が取り付けられている。図６では、図５にＡ―Ａ断面位置にてドラムスクリーン４側より流入管２側を見た図を示しており、整流板１５及び越流堰９を便宜上透過させた状態で示している。
【００２９】
図６に示されるように整流板１５は、矩形状のプレートにて形成され、対向する円筒状の流入管２の流入口を覆うよう配置されている。図６において整流板１５の下端は点線で示す位置にあり、少なくとも流入管２の底面位置より下方にその端部が位置する形状を有していればよい。また、流入路２１内には、整流板１５の下流側に流入路２１の底面より立設する越流堰９が配置されている。越流堰９の上端部は少なくとも流入管２の底面より上方に位置し、固定部を支点として先端部が下流側に位置するよう傾斜して設置されている。
【００３０】
流入管２より流入路２１に導入される下水は整流板１５に衝突し、ドラムスクリーン４の回転軸方向に拡がり、その後自重により流入路２１の底面側へと下降する。その後、越流堰９と衝突し、越流堰９の上端部を乗越え、ドラムスクリーンユニットＵ２内に流入する。仮に、流入管２が図６に示されるようにドラムスクリーン４の回転軸方向の一方端側に偏って配置されている場合であっても、流入する下水をドラムスクリーン４の回転軸方向にほぼ均一とされた後、ドラムスクリーン４へ導入されるため、流入下水の偏移（偏り）を抑制できる。
【００３１】
ドラムスクリーンユニットＵ２内には、ドラムスクリーン４に対向し下水の流入側に配置された固定スクリーン１４、ドラムスクリーン４の背面側には、ドラムスクリーン４の回転軸より下方に配置された回転スクレーパ８、一端が回転スクレーパ８の回転軸より下方に位置するよう配置された固定スクレーパ７が設けられている。図７に示されるように、ドラムスクリーン４は、実施例１と同様に回転軸方向に所定の間隔にて配置されたリング状部材４１を備え、隣接するリング状部材４１の間に開口部４２が形成されている。また、回転スクレーパ８は、ドラムスクリーン４と同様に回転軸方向に所定の間隔で配置された複数のリング状部材８１を備え、隣接するリング状部材８１間に開口部８２が形成されている。これらドラムスクリーン４のリング状部材４１と回転スクレーパ８のリング状部材が篏合するよう配置され、回転スクレーパ８がドラムスクリーン４と同一方向に回転する。回転スクレーパ８の駆動力は、例えば、ドラムスクリーン４の回転軸にベルトあるいはチェーンを介して回転スクレーパ８の回転軸を連結することで供給される。なお、独立して駆動装置を設け、回転スクレーパ８へ回転駆動力を伝達するよう構成してもよい。
【００３２】
また、図７に示されるように、固定スクレーパ７の先端部は、回転スクレーパ８のリング状部材８１と篏合するよう複数の凹凸部７１、７２が形成された櫛歯状をなしている。ドラムスクリーン４が時計回りに回転することで、流入路２１から導入された下水中の夾雑物はドラムスクリーン４の外周面に捕捉され、夾雑物が除去された流入下水は自重により落下する。その後、ドラムスクリーン４の外周面に捕捉された夾雑物は、回転スクレーパ８の外周面に移送される。回転スクレーパ８の外周面に移送された夾雑物は、固定スクレーパ７の先端部に形成された凹凸部により剥離され、夾雑物排出口１３へと導かれる。
【００３３】
また、本実施例の回転ドラムスクリーン装置１１では、下水流出入ユニットＵ１に設けられた流入管２の下方に、本体ケーシング１の底面より外部へ夾雑物が除去された下水を排出する排水管３が設けられている。
【００３４】
本実施例においても、実施例１と同様に機器の搬入口が狭い下水処理施設であっても、ユニット毎に分割することにより、容易に搬入でき、また、仮に、クレーン等で吊上げ搬入するような処理施設においても、ユニット分割することで軽量化が可能となる。
【００３５】
また、図５に示すように、ドラムスクリーン４の内部に洗浄用受水槽１２が実施例１と同様に配置されている。本実施例では、固定スクレーパ７の先端部がドラムスクリーン４との間に介在する回転スクリーン８の下方に位置するため、洗浄用受水槽１２より流出する夾雑物除去後の流入下水は、実施例１と比較し流速が低減された状態で固定スクレーパ７の表面に到達することになる。但し、この場合においても固定スクレーパ７の表面に付着する夾雑物を洗い流す効果は達成される。
【００３６】
本実施例によれば、外部から洗浄水を導入することなく、回転ドラムスクリーン装置１１の運転継続中に固定スクレーパ７の洗浄が可能となり、維持管理が容易となる。
【００３７】
また、本実施例によれば、流入路２１内に越流堰９に加え整流板１５を配置することにより、被処理水である下水を実施例１と比較し更に均一化させた状態で、ドラムスクリーン４へ流入させることができる。
【００３８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の実施例の構成の追加・削除・置換をすることが可能である。
【符号の説明】
【００３９】
１・・・本体ケーシング、２・・・流入管、３・・・排水管、４・・・ドラムスクリーン、５・・・駆動装置、６・・・レーキ、７・・・固定スクレーパ、８・・・回転スクレーパ、９・・・越流堰、１０,１１・・・回転ドラムスクリーン装置、１２・・・洗浄用受水槽、１３・・・夾雑物排出口、１４・・・固定スクリーン、１５・・・漏水受け皿、２０・・・夾雑物、２１・・・流入路、３０・・・フランジ、３１・・・排水路、４１，８１・・・リング状部材、４２，８２・・・開口、７１・・・凸部、７２・・・凹部
【図１】
2015112503.tif 000003
【図２】
2015112503.tif 000004
【図３】
2015112503.tif 000005
【図４】
2015112503.tif 000006
【図５】
2015112503.tif 000007
【図６】
2015112503.tif 000008
【図７】
2015112503.tif 000009